(57)【特許請求の範囲】
【請求項１】
ワイヤハーネスが配置されるプレートと、
前記ワイヤハーネスの一部に被さって前記プレートに固定されるカバーと、を有し、
前記カバーに設けられた係止部を前記プレートに設けられた係止受け部に向き合わせて押し込むことにより前記係止部が前記係止受け部に係止して前記カバーが前記プレートに固定されるようになっており、
前記カバーが、前記プレート側に突出して前記プレートの端縁に沿い前記プレートの端縁を覆うエッジカバー部を備えているカバーを含んでいるワイヤハーネスの取り付け構造。
【請求項２】
ワイヤハーネスが配置されるプレートと、
前記ワイヤハーネスの一部に被さって前記プレートに固定されるカバーと、を有し、
前記カバーに設けられた係止部を前記プレートに設けられた係止受け部に向き合わせて押し込むことにより前記係止部が前記係止受け部に係止して前記カバーが前記プレートに固定されるようになっており、
前記カバーが、前記ワイヤハーネスに備えられたコネクタを保持するコネクタ保持部を備えたカバーを含んでおり、前記コネクタ保持部が、前記ワイヤハーネスに被さるカバー本体部の軸方向における一端から突出して前記コネクタを幅方向から挟んで保持する一対の挟持部を備えているワイヤハーネスの取り付け構造。
【請求項３】
前記カバーが、形状の異なる複数のカバーを有している請求項１または請求項２に記載のワイヤハーネスの取り付け構造。
【請求項４】
前記プレートが、複数の前記係止受け部を有し、
前記複数のカバーから適宜選択されたカバーが前記プレートに固定可能とされている請求項３に記載のワイヤハーネスの取り付け構造。
【請求項５】
前記プレートに配置されたワイヤハーネスと、
請求項１ないし請求項４のいずれか一項に記載のワイヤハーネスの取り付け構造と、を備えた配線ユニット。
【請求項６】
自動変速機に組み付けられるものである請求項５に記載の配線ユニット。
【発明の詳細な説明】
【技術分野】
【０００１】
本発明は、ワイヤハーネスの取り付け構造および配線ユニットに関する。
【背景技術】
【０００２】
従来、ワイヤハーネスがプレートに固定された配線ユニットが知られている。例えば下記特許文献１に記載された配線ユニットは、ワイヤハーネがプレートに配置されて、結束バンドにより複数箇所がプレートに固定されている。結束バンドは、プレートに貫通形成された一対の通し孔に通されてプレートの裏面側に係止し、プレートの表面側においてワイヤハーネスを結束している。
【先行技術文献】
【特許文献】
【０００３】
【特許文献１】特開２０１４−１９９０７１号公報
【発明の概要】
【発明が解決しようとする課題】
【０００４】
しかしながら、上記のような構成では、ワイヤハーネスをプレートに取り付けるためには、各固定箇所において結束バンドを通し孔に通し、ワイヤハーネスを結束する作業を行わなければならないため、作業量が多いという問題があった。
【０００５】
本発明は上記のような事情に基づいて完成されたものであって、ワイヤハーネスの取り付けにかかる作業量を減らすことが可能なワイヤハーネスの取り付け構造および配線ユニットを提供することを目的とする。
【課題を解決するための手段】
【０００６】
本発明１のワイヤハーネスの取り付け構造は、ワイヤハーネスが配置されるプレートと、前記ワイヤハーネスの一部に被さって前記プレートに固定されるカバーと、を有し、前記カバーに設けられた係止部を前記プレートに設けられた係止受け部に向き合わせて押し込むことにより前記係止部が前記係止受け部に係止して前記カバーが前記プレートに固定されるようになっており、前記カバーが、前記プレート側に突出して前記プレートの端縁に沿い前記プレートの端縁を覆うエッジカバー部を備えているカバーを含んでいるものである。
本発明２のワイヤハーネスの取り付け構造は、ワイヤハーネスが配置されるプレートと、前記ワイヤハーネスの一部に被さって前記プレートに固定されるカバーと、を有し、前記カバーに設けられた係止部を前記プレートに設けられた係止受け部に向き合わせて押し込むことにより前記係止部が前記係止受け部に係止して前記カバーが前記プレートに固定されるようになっており、前記カバーが、前記ワイヤハーネスに備えられたコネクタを保持するコネクタ保持部を備えたカバーを含んでおり、前記コネクタ保持部が、前記ワイヤハーネスに被さるカバー本体部の軸方向における一端から突出して前記コネクタを幅方向から挟んで保持する一対の挟持部を備えているものである。
本発明の配線ユニットは、前記プレートに配置されたワイヤハーネスと、前記ワイヤハーネスの取り付け構造と、を備えたものである。
【発明の効果】
【０００７】
本発明によれば、プレートおよびカバーを対向方向に押し込むことでカバーがプレートに固定され、ワイヤハーネスがプレートに取り付けられるから、結束バンド等を用いる場合に比してワイヤハーネスの取り付けにかかる作業量を減らすことができる。
【図面の簡単な説明】
【０００８】
【図１】本実施例における配線ユニットであって、機器に取り付けられた状態を示す斜視図
【図２】配線ユニットを示す平面図
【図３】２種類のカバーを示す斜視図
【図４】コネクタ保持部を有するカバーと電線側コネクタとプレートの一部とを示す斜視図
【図５】コネクタ保持部を有するカバーと電線側コネクタとプレートの一部とを示す断面図
【図６】カバーのコネクタ保持部に電線側コネクタが保持される様子を示す一部切欠き平面図
【図７】プレートに固定されたカバーに電線側コネクタが保持された状態を示す断面図
【図８】カバーがプレートに固定される前の係止部および係止受け部を示す断面図
【図９】カバーがプレートに固定された状態の係止部および係止受け部を示す断面図
【発明を実施するための形態】
【０００９】
本発明の好ましい形態を以下に示す。
本発明のワイヤハーネスの取り付け構造は、前記カバーが、形状の異なる複数のカバーを有しているものとしてもよい。このような構成によれば、ワイヤハーネスの配置形態にあわせて、複数のカバーから適宜カバーを選択することができる。
【００１０】
また、本発明のワイヤハーネスの取り付け構造は、前記プレートが、複数の前記係止受け部を有し、前記複数のカバーから適宜選択されたカバーが前記プレートに固定可能とされているものとしてもよい。このような構成によれば、複数のカバーから適宜選択したカバーをプレートに固定することでワイヤハーネスの配置形態を変えることができるから、配線ユニットの種類ごとに専用のカバーを備えなくても良く、比較的容易に多種の配線ユニットに対応することができる。
【００１１】
また、本発明１のワイヤハーネスの取り付け構造は、前記カバーが、前記プレートに固定されたときに前記プレートの端縁を覆うエッジカバー部を備えている。このような構成によれば、電線がプレートの端縁に接触しないから、電線の被覆がプレートの端縁に接触して損傷することを防ぐことができる。
【００１２】
また、本発明２のワイヤハーネスの取り付け構造は、前記カバーが、前記ワイヤハーネスに備えられたコネクタを保持するコネクタ保持部を備えている。このような構成によれば、コネクタがカバーに固定されるから、コネクタが揺れ動いて電線がプレートの端縁に接触して損傷することを防ぐことができる。
また、本発明の配線ユニットは、自動変速機に組み付けられるものとしてもよい。
【００１３】
＜実施例＞
以下、本発明を具体化した一実施例について、図１〜図９を参照しつつ詳細に説明する。
本実施例における配線ユニットＵは、図１に示すように、車両に搭載された機器（本実施例では、自動変速機のコントロールユニット）１０に取り付けられ、変速動作に関連する制御の一部を行うものである。機器１０には、複数（本実施例では３つ）のソレノイドバルブ１１が備えられ、各ソレノイドバルブ１１の上部には、機器側コネクタ１２が配設されている。以下、各構成部材において、図１の上側を上方、下側を下方として説明する。
【００１４】
配線ユニットＵは、ワイヤハーネス２０と、ワイヤハーネス２０が配置されるプレート３０と、ワイヤハーネス２０の一部に被さってプレート３０に固定されるカバー４０と、を備えている。
ワイヤハーネス２０は、図２に示すように、複数本の電線２１と、電線２１の端末部に接続されて機器側コネクタ１２に接続される複数の電線側コネクタ２２とを備えている。
【００１５】
電線側コネクタ２２の後端部には、図４および図６に示すように、カバー４０に保持される被保持部２３が設けられている。被保持部２３は、電線側コネクタ２２の前側の部分（機器側コネクタ１２との嵌合部２４）よりも左右両側に突出した形状をなしている。
【００１６】
被保持部２３には、カバー４０に設けられた係止凸部５８が嵌合可能な係止凹部２５が設けられている。係止凹部２５は、被保持部２３の左右両面（突出端面）に、上下方向に長い長方形状をなして凹み形成されている。
【００１７】
プレート３０は、金属製の板材により形成され、複数箇所にボルト挿通孔３１が貫通形成されており、配線ユニットＵは図示しないボルト等によって機器１０に固定される。
【００１８】
そして、プレート３０には、後述する複数種のカバー４０が選択的に係止可能な係止受け部３２が複数設けられている。係止受け部３２は、図４に示すように、プレート３０に貫通形成された一対の貫通孔３３を有し、各貫通孔３３は、平面視、方形状（ワイヤハーネス２０の配索方向に若干長い長方形状）をなしている。一対の貫通孔３３は、後述する一対の弾性脚部４４の間隔に整合するように所定の間隔をあけて設けられている。
【００１９】
カバー４０は、図１に示すように、ワイヤハーネス２０の表側（プレート３０とは反対側）を覆う天井壁４１と、ワイヤハーネス２０の左右両側を覆う一対の側壁４２とを備えている。天井壁４１は、ワイヤハーネス２０を覆うことが可能な一定の幅寸法を有している。一対の側壁４２は、天井壁４１の両側縁に沿って略直角方向に垂下されている。カバー４０は、一方向（下方）に開放された略Ｕ字断面を有している。
【００２０】
カバー４０には、図８および図９に示すように、プレート３０に設けられた係止受け部３２に向き合わせて押し込まれることにより係止受け部３２に係止する係止部４３が設けられている。係止部４３は、一対の側壁４２の下端から下向きに突設された一対の弾性脚部４４と、各弾性脚部４４の下端（先端）に設けられた爪部４５とを有している。一対の弾性脚部４４は、互いの間隔が拡開する方向に弾性変形可能とされている。また、爪部４５は、一対の弾性脚部４４の内側に突出し、その上面がプレート３０の裏面（下面）に係止する係止面４６とされている。爪部４５の下面は、貫通孔３３への爪部４５の挿入動作を誘導するように傾斜した誘導面４７とされている。
【００２１】
そして、係止部４３は、押し込み動作に伴って弾性変形した後に弾性復帰して係止受け部３２に係止するものとされている。詳しくは、係止部４３を係止受け部３２に押し込むと、爪部４５の誘導面４７が貫通孔３３の縁部に当接し、弾性脚部４４が外側に弾性撓みして爪部４５が貫通孔３３を通過する。すると、弾性脚部４４が内側に弾性復帰して係止面４６がプレート３０の裏面に係止する。これにより、カバー４０がプレート３０に固定される。このとき、側壁４２の下端はプレート３０の表面に近接または当接する。
【００２２】
カバー４０は、図３および図４に示すように、形状の異なる複数種（本実施例では３種）のカバー４０を有している。３種のカバー４０（以後、第１カバー４０Ｆ、第２カバー４０Ｓおよび第３カバー４０Ｔと称する）は、複数個ずつ備えられている。
【００２３】
第１カバー４０Ｆは、平面視、Ｉ字型をなし、一方向に長い形状とされている。第１カバー４０Ｆの天井壁４１および側壁４２は、長手方向の一端から他端にいたる全長にわたって連続しており、ワイヤハーネス２０のうち第１カバー４０Ｆが被せられた部分は、プレート３０と第１カバー４０Ｆとにより四方を完全に覆われる。第１カバー４０Ｆには複数（本実施例では長手方向の一端側と他端側とに一ずつ）の係止部４３が設けられている。
【００２４】
第２カバー４０Ｓは、ワイヤハーネス２０の屈曲部や分岐部に配されるものである。第２カバー４０Ｓは、平面視、Ｌ字型をなし、略直角をなす角部を間にして一方が他方よりも長く形成されている。以後、第２カバー４０Ｓの短い側の部分を第１辺部４８、長い側の部分を第２辺部４９と称する。
【００２５】
第２カバー４０Ｓの天井壁４１は、長手方向の一端から他端にいたる全長にわたって連続している。また、第２カバー４０Ｓの側壁４２は、第１辺部４８においては連続し、第２辺部４９においては間欠的に設けられている。
【００２６】
第２辺部４９には、間欠的に設けられた側壁４２の間に、第２カバー４０Ｓの左右方向（幅方向）に開口する開口部５１が複数個所（本実施例では２箇所）に形成されている。この開口部５１により、第２カバー４０Ｓの第２辺部４９に配索されたワイヤハーネス２０が、第２辺部４９の長手方向の中間部から略直角方向に延出可能とされている。また、開口部５１が複数設けられていることにより、第２カバー４０Ｓ内におけるワイヤハーネス２０の屈曲位置を適宜選択することができる。さらに、開口部５１が第２カバー４０Ｓの幅方向の両側に設けられていることにより、ワイヤハーネス２０の屈曲方向を適宜選択することができる。
【００２７】
第２カバー４０Ｓには複数（本実施例では第１辺部４８に一つと第２辺部４９に一対）の係止部４３が設けられている。なお、本実施例では、第２カバー４０Ｓは、曲げの方向が９０度異なる２種類が備えられている（図２参照）。
【００２８】
第３カバー４０Ｔは、図１に示すように、プレート３０の周縁部のうち機器１０のソレノイドバルブ１１に対応する位置に固定されるものである。
第３カバー４０Ｔは、図７に示すように、プレート３０に固定されたときにプレート３０の端縁を覆うエッジカバー部５３を備えている。エッジカバー部５３は、第３カバー４０Ｔの両側壁４２の下端から下方に突出するとともに、図６に示すように、プレート３０の端縁に沿うように幅方向における中央側に突出している。なお、一対のエッジカバー部５３の間には若干の隙間（ワイヤハーネス２０の電線２１の外径よりも小さい隙間）があいている。
【００２９】
また、第３カバー４０Ｔは、図６に示すように、電線側コネクタ２２を保持するコネクタ保持部５２を備えている。コネクタ保持部５２は、天井壁４１と一対の側壁４２とを有するカバー本体部５４の長手方向における一端側から一方向に突出して設けられている。第３カバー４０Ｔがプレート３０に固定された状態では、コネクタ保持部５２の全体がプレート３０の外側に突出して配される。
【００３０】
コネクタ保持部５２は、電線側コネクタ２２を幅方向（左右方向）から挟んで保持する一対の挟持部５５を有している。一対の挟持部５５は、一対の側壁４２から一方向に片持ち状をなして突出し、互いの間隔が拡開する方向に弾性変形可能とされている。一対の挟持部５５は、カバー本体部５４から斜め外側に開く傾斜をなす傾斜部５６と、傾斜部５６の先端から略平行に延出する平行部５７とを有している。なお、挟持部５５の高さ寸法は、カバー４０本体の高さ寸法（側壁４２の高さ寸法）と同等とされてる。
【００３１】
一対の挟持部５５の先端部（平行部５７）には、電線側コネクタ２２の係止凹部２５に嵌合可能な係止凸部５８が設けられている。係止凸部５８は、挟持部５５の高さ方向における略中央においてブロック状をなして内側に突出している。
なお、第３カバー４０Ｔのカバー本体部５４には係止部４３が一つ設けられている。
【００３２】
第１カバー４０Ｆ、第２カバー４０Ｓおよび第３カバー４０Ｔの天井壁４１の幅寸法および側壁４２の高さ寸法は同等とされている。また、第１カバー４０Ｆ、第２カバー４０Ｓおよび第３カバー４０Ｔの係止部４３は略同形状とされている。
【００３３】
次に、ワイヤハーネス２０をプレート３０に取り付ける作業の一例を説明する。
まず、組立図板上でワイヤハーネス２０を組み立てる際にすべてのカバー４０を所定の位置に装着する。本実施例では、図２に示すように、１つの第１カバー４０Ｆと、２つの第２カバー４０Ｓと、３つの第３カバー４０Ｔとをそれぞれ所定の位置に装着する。この際、ワイヤハーネス２０を各カバー４０の内側（一対の側壁４２の間）に配置するとともに、各カバー４０の天井壁４１を組立図板に当接させてカバー４０の開放側が手前側を向くようにし、各カバー４０を組立図板に固定する。
【００３４】
そして、第３カバー４０Ｔには、電線側コネクタ２２を保持させる（図４参照）。電線側コネクタ２２をコネクタ保持部５２に保持させるには、電線側コネクタ２２をコネクタ保持部５２よりも先方の位置から後方に移動させる。このとき、電線側コネクタ２２が接続された電線２１を後方に引っ張ってもよいし、電線側コネクタ２２の嵌合部２４側を後方に押しても良い。すると、電線側コネクタ２２の被保持部２３が係止凸部５８に当接して一対の挟持部５５を外側に弾性変形させ、被保持部２３の係止凹部２５に係止凸部５８が嵌合すると同時に一対の挟持部５５が内側に弾性復帰して、電線側コネクタ２２がコネクタ保持部５２に保持される。コネクタ保持部５２に保持された電線側コネクタ２２は、被保持部２３が一対の挟持部５５の間に配されて、嵌合部２４の全体がコネクタ保持部５２から外側（前側）に突出した状態で配される。
【００３５】
次いで、プレート３０にカバー４０を固定する。プレート３０の係止受け部３２とカバー４０の係止部４３とが所定の位置で向き合うように位置合わせして、プレート３０を組立図板側（ワイヤハーネス２０側）に押し付ける。すると、全てのカバー４０の係止部４３がプレート３０の係止受け部３２に係止し、全てのカバー４０が一括してプレート３０に固定される。
これにより、ワイヤハーネス２０をプレート３０に取り付ける作業が完了する。
【００３６】
次に、上記のように構成された実施例の作用および効果について説明する。
本実施例の配線ユニットＵは、ワイヤハーネス２０が配置されるプレート３０と、ワイヤハーネス２０の一部に被さってプレート３０に固定されるカバー４０と、を有し、カバー４０に設けられた係止部４３をプレート３０に設けられた係止受け部３２に向き合わせて押し込むことにより係止部４３が係止受け部３２に係止してカバー４０がプレート３０に固定されるものである。この構成によれば、プレート３０およびカバー４０を対向方向に押し込むことでカバー４０がプレート３０に固定され、ワイヤハーネス２０がプレート３０に取り付けられるから、結束バンド等を用いる場合に比してワイヤハーネス２０の取り付けにかかる作業量を減らすことができる。
【００３７】
また、カバー４０が、形状の異なる複数のカバー４０を有している。この構成によれば、ワイヤハーネス２０の配置形態にあわせて、複数のカバー４０から適宜カバー４０を選択することができる。
【００３８】
また、プレート３０が、複数の係止受け部３２を有し、複数のカバー４０から適宜選択されたカバー４０がプレート３０に固定可能とされている。この構成によれば、複数のカバー４０から適宜選択したカバー４０をプレート３０に固定することでワイヤハーネス２０の配置形態を変えることができるから、配線ユニットの種類ごとに専用のカバーを備えなくても良く、比較的容易に多種の配線ユニットに対応することができる。
【００３９】
また、第３カバー４０Ｔが、プレート３０に固定されたときにプレート３０の端縁を覆うエッジカバー部５３を備えている。この構成によれば、電線２１がプレート３０の端縁に接触しないから、電線２１の被覆がプレート３０の端縁に接触して損傷することを防ぐことができる。
【００４０】
また、第３カバー４０Ｔが、ワイヤハーネス２０に備えられた電線側コネクタ２２を保持するコネクタ保持部５２を備えている。この構成によれば、電線側コネクタ２２が第３カバー４０Ｔに固定されるから、電線側コネクタ２２が揺れ動いて電線２１がプレート３０の端縁に接触して損傷することを防ぐことができる。
【００４１】
＜他の実施例＞
本発明は上記記述及び図面によって説明した実施例に限定されるものではなく、例えば次のような実施例も本発明の技術的範囲に含まれる。
（１）上記実施例では、プレート３０は金属製とされているが、プレートの材料は任意に変更することができる。
（２）上記実施例では、第３カバー４０Ｔがエッジカバー部５３とコネクタ保持部５２とを備えているが、これに限らず、いずれか一方のみを備えていても良い。
（３）上記実施例では、組立図板上でプレート３０を押し込んでカバー４０を一括して固定する方法を例示したが、これに限らず、プレートにカバーを１個ずつ固定するものとしてもよい。
（４）上記実施例では、係止部４３が、押し込み動作に伴って弾性変形した後に弾性復帰して係止受け部３２に係止するものとされているが、これに限らず、係止部および係止受け部は、押し込み動作に伴って互いに係止可能であれば、その係止の形態はどのようなものであってもよく、例えば、係止部が、係止受け部に圧入されることで係止するものとしてもよい。
（５）上記実施例では、３種類のカバー４０が例示されているが、これに限らず、カバーの種類、および各カバーの形状は任意に変更することができる。
（６）上記実施例では、１つの第１カバー４０Ｆ、２つの第２カバー４０Ｓおよび３つの第３カバー４０Ｔがプレート３０に固定されているが、これに限らず、プレートに固定するカバーの種類、個数および位置はワイヤハーネスの配置形態によって任意に変更することができ、例えば、電線側コネクタの数に合わせて第３カバーの数を変えたり、ソレノイドバルブの位置に合わせて第３カバーの位置を変えたり、ワイヤハーネスの分岐形態にあわせて第１カバーおよび第２カバーの数や位置を適宜変更することができる。
（７）上記実施例では、機器１０が自動変速機のコントロールユニットである場合について説明したが、これに限らず、本発明は、他の機器に取り付ける配線ユニットにも適用することができる。
（８）上記実施例では、３種類のカバー４０をプレート３０に固定する場合について例示したが、これに限らず、例えば１種類のカバーのみをプレートに固定してもよい。
【符号の説明】
【００４２】
Ｕ…配線ユニット
１０…機器（自動変速機）
２０…ワイヤハーネス
２２…電線側コネクタ（コネクタ）
３０…プレート
３２…係止受け部
４０…カバー
４３…係止部
５２…コネクタ保持部
５３…エッジカバー部
【図１】
0006390906.tif 000002
【図２】
0006390906.tif 000003
【図３】
0006390906.tif 000004
【図４】
0006390906.tif 000005
【図５】
0006390906.tif 000006
【図６】
0006390906.tif 000007
【図７】
0006390906.tif 000008
【図８】
0006390906.tif 000009
【図９】
0006390906.tif 000010